(57)【特許請求の範囲】
【請求項１】
天井の開口部に取り付けられた縁枠と、この縁枠と床面との間に展開されて架け渡されるとともに、天井の上方に折畳まれて格納されるように構成されたはしご本体と、上端部が上記縁枠に枢支されてはしご本体を支持するとともに、中間部において屈伸自在に構成された吊下リンクと、上記はしご本体の使用時に、上記吊下リンクに当接してその回動変位を阻止するストッパとを備えた天井用はしご装置であって、
上記縁枠に吊下リンクの上端部を枢支する吊下ブラケットを設け、
この吊下ブラケットに、上記吊下リンクの上端枢支部が係止される複数個の横溝と、各横溝を連結して上記枢支部を案内する縦溝とを形成し、
上記横溝の一つに吊下リンクの上端枢支部を選択的に係止するように構成し、
上記吊下リンクの上端枢支部を横溝内に係止する規制部材を設け、
この規制部材を、上記吊下リンクの上端枢支部が溝外に導出されるのを規制する規制位置と、上記上端枢支部の規制状態を解除した規制解除位置とに変位可能に構成したことを特徴とする天井用はしご装置。
【請求項２】
請求項１記載の天井用はしご装置において、
上記規制部材を、吊下ブラケットの縦溝を覆う規制位置と、縦溝を開放する規制解除位置とに変位可能に構成するとともに、
この規制部材を上記規制解除位置に仮止めする仮止め部を設けたことを特徴とする天井用はしご装置。
【発明の詳細な説明】
【技術分野】
【０００１】
本発明は、天井裏への昇降等に使用される天井用はしご装置に関するものである。
【背景技術】
【０００２】
従来、例えば実開昭６１−５９７２５号公報に示されるように、上面に折畳み可能なはしご本体が取り付けられた蓋体の一端を開口枠の一端の下部に回動自在に枢支し、一対のリンクを接続した吊下リンクの一端を開口枠の側面に回動自在に枢着するとともに、吊下リンクの他端を蓋体に回動自在に枢支し、開口枠の側面にボルトやビス等のねじ具によりストッパーブロックを上下表裏付け替え自在に取り付け、ストッパーブロックの当接部の付け替えにより吊下リンクの位置決め角度を変更することにより、天井部の高さに応じてはしご本体の設置高さを調節する吊下リンクをリンク受部で確実に支持できるようにすることが行われている。
【特許文献１】実開昭６１−５９７２５号公報
【発明の開示】
【発明が解決しようとする課題】
【０００３】
上記のようにストッパーブロックを上下反転させ、あるいは表裏反転させることによって吊下リンクに当る当接部を変更し、吊下リンクがストッパーブロックの当接部に当るときの角度を調節することにより、はしごユニットの設置高さに応じてリンク受部を調整して吊下リンクを位置決めできるように構成した場合には、この吊下リンクに対するストッパーブロックの当接部を変更する際に、この当接部を吊下リンクにぴったりと沿わせた状態で、上記ストッパーブロックをねじ止めする必要があり、この作業が煩雑であるという問題がある。
【０００４】
すなわち、上記ストッパーブロックには、ねじ具が挿通されるばか孔からなる取り付け孔が形成されているので、この取り付け孔の孔径と上記ねじ具の軸径との差に対応した取付誤差が、左右の吊下リンク間に生じると、両吊下リンクの一方だけが上記ストッパーブロックの当接部に当るという片当り状態が発生することが避けられない。この片当り状態の発生を防止するためには、はしご本体を展開して上記左右の吊下リンクをそれぞれ上記当接部に当接させた状態で、左右のストッパーブロックを同時にねじ止めし、あるいは一方のストッパーブロックの取付状態に対応させて他方のストッパーブロックの取付状態を変更する等の作業を繰り返して行わなければならず、この作業が煩雑であるという問題があった。
【０００５】
本発明は、このような事情に鑑み、吊下リンクの上端枢支位置を移動させることにより、はしご本体の設置高さを容易かつ適正に調節することができる天井用はしご装置を提供するものである。
【課題を解決するための手段】
【０００６】
請求項１に係る発明は、天井の開口部に取り付けられた縁枠と、この縁枠と床面との間に展開されて架け渡されるとともに、天井の上方に折畳まれて格納されるように構成されたはしご本体と、上端部が上記縁枠に枢支されてはしご本体を支持するとともに、中間部において屈伸自在に構成された吊下リンクと、上記はしご本体の使用時に、上記吊下リンクに当接してその回動変位を阻止するストッパとを備えた天井用はしご装置であって、上記縁枠に吊下リンクの上端部を枢支する吊下ブラケットを設け、この吊下ブラケットに、上記吊下リンクの上端枢支部が係止される複数個の横溝と、各横溝を連結して上記枢支部を案内する縦溝とを形成し、上記横溝の一つに吊下リンクの上端枢支部を選択的に係止するように構成し、上記吊下リンクの上端枢支部を横溝内に係止する規制部材を設け、この規制部材を、上記吊下リンクの上端枢支部が溝外に導出されるのを規制する規制位置と、上記上端枢支部の規制状態を解除した規制解除位置とに変位可能に構成したものである。
【０００７】
上記構成によれば、吊下リンクの上端枢支位置を移動させる際には、吊下ブラケットに形成された縦溝に沿って吊下リンクの上端枢支部をスライド変位させ、上記複数個の横溝のうちの一つを選択して上記枢支部を導入することにより、吊下リンクの上端枢支位置が移動し、この吊下リンクによって支持されるはしご本体の設置高さが調節される。また、上記はしご本体の左右に設けられた一対の吊下リンクの上端枢支位置を変化させる作業が同時に実行されて、上記はしご本体の設置高さが容易かつ正確に調節されることになる。さらに、上記規制部材を規制解除位置にセットした状態で、吊下リンクの上端枢支部を縦溝に沿ってスライド変位させることにより、複数個の横溝のうちの一つを選択して吊下ブラケットの上端枢支部を導入させることができるとともに、上記規制部材を規制位置にセットすることにより、吊下リンクの上端枢支部を上記横溝の一つに安定して係止することができる。
【０００８】
請求項２に係る発明は、上記請求項１記載の天井用はしご装置において、上記規制部材を、吊下ブラケットの縦溝を覆う規制位置と、縦溝を開放する規制解除位置とに変位可能に構成するとともに、この規制部材を上記規制解除位置に仮止めする仮止め部を設けたものである。
【０００９】
上記構成によれば、規制部材を規制解除位置に仮止めした状態で、縦溝に沿って吊下リンクの上端枢支部をスライド変位させることにより、複数個の横溝の一つを選択して吊下リンクの上端枢支部を導入させる作業が容易に行われることになる。
【発明の効果】
【００１０】
以上のように、本発明によれば、はしご本体の設置高さを容易かつ適正に調節することができるとともにはしご本体を安定した状態で支持することのできる天井用はしご装置を提供することができる。
【発明を実施するための最良の形態】
【００１１】
図１及び図２は、本発明に係る天井用はしご装置の実施形態を示している。この天井用はしご装置は、天井１に形成された開口部に取り付けられた縁枠２と、この縁枠２に前端部がヒンジ結合されることによって開閉自在に支持された天蓋３と、この天蓋３に支持されたはしご本体４と、上記天蓋３の閉止時にその後端部を縁枠２に係止するロック機構（図示せず）とを備えている。
【００１２】
このはしご本体４は、ヒンジ金具５，６によって折畳み可能に連結された上下三段のはしご部４ａ，４ｂ，４ｃからなり、最上段のはしご部４ａが取付ブラケット７，７によって上記天蓋３の上面に固着されている。そして、上記はしご本体４は、その使用時に図１に示すように、各はしご部４ａ〜４ｃが展開されて上記縁枠２と床面８との間に架け渡されるとともに、不使用時に図２に示すように、天蓋３上に折畳まれた状態で天井１の上方に格納されるように構成されている。
【００１３】
上記縁枠２と天蓋３との間には、この天蓋３及び上記はしご本体４を支持する左右一対の吊下リンク９が設けられている。この吊下リンク９は、ピン１０により枢支された上部リンク１１と下部リンク１２とからなり、中間部において屈伸するように構成されている。すなわち、上記上部リンク１１の上端部が、縁枠２に取り付けられた吊下ブラケット１３に枢支されるとともに、下部リンク１２の下端部が、天蓋３の上面に固着された取付ブラケット１４に枢支され、はしご本体４を展開状態から折畳み状態に移行させるのに応じ、吊下リンク９が図１に示すように伸長した状態から、図２に示すように中間部において屈曲した状態に移行するようになっている。
【００１４】
また、上記縁枠２の前端部には、引張りばね１５の上端部を支持する支持ブラケット３５が取り付けられ、この支持ブラケット３５と、上記吊下リンク９の下部リンク１２との間に上記引張りばね１５が張設されている。この引張りばね１５は、上記天蓋３及びはしご本体４を上向きに付勢することにより、はしご本体４の格納時にその押上げ力を軽減するとともに、天蓋３の開放時にその急変位を防止するように構成されている。
【００１５】
上記吊下ブラケット１３は、図３及び図４に示すように、縁枠２にビス止めされた取付板１６と、縁枠２の壁面と平行に伸びる基板１７とを有する断面ハット状に形成されている。上記吊下ブラケット１３の基板１７には、上下複数個の横溝１８〜２１と、これらの横溝１８〜２１を連結するように伸びる単一の縦溝２２とが形成されるとともに、上記上部リンク１１に当接してその回動を阻止するストッパ２３が突設されている。なお、最上段の横溝１８は、吊下ブラケット１３の最前方側に配設されるとともに、下段の横溝１９〜２１は順次後方側に位置するように配設されている。
【００１６】
そして、上記上部リンク１１の上端部に突設された枢支ピン２４からなる上端枢支部を、上記縦溝２２に沿ってスライド変位させることにより、上記横溝１８〜２１に一つが任意に選択されて上記枢支ピン２４が導入されるようになっている。また、上記縁枠２と吊下ブラケット１３の基板１７との間には、上記横溝１８〜２１に導入された上部リンク１１の枢支ピン２４を回動可能な状態で係止する規制部材２５が挿入され、この規制部材２５がビス２６により上記縁枠２の壁面に固着されている。
【００１７】
上記規制部材２５は、吊下ブラケット１３の縦溝２２を覆うことにより上記枢支ピン２４に設けられた円板状のフランジ部２７が、上記横溝１８〜２１内において回動するのを許容しつつ、上記横溝１８〜２１外に導出されるのを規制するように構成されている。また、上記ビス２６を取り外して規制部材２５を図３の仮想線で示すように、上方の規制解除位置に変位させることにより、上記縦溝２２が開放され、この縦溝２２に沿って枢支ピン２４をスライド変位させることが許容されるようになっている。
【００１８】
上記規制部材２５の下端部には、縦溝２２に沿ってスライド変位する突片２８が突設され、この突片２８が上記縦溝２２の下辺部に当接することによって規制部材２５が上記規制位置に位置決めされ、上記突片２８が縦溝２２の上辺部に当接することによって規制部材２５が吊下ブラケット１３の設置部外に引き抜かれることが阻止されるように構成されている。
【００１９】
また、上記規制部材２５の下部には、図５に示すようにＶ形の切欠２９が左右両側辺部に形成されている。上記規制部材２５を上方の規制解除位置に移動させた状態で、上記切欠２９を基板１７の上辺部に係合することにより、上記規制部材２５が自重に応じて上端部が内方側に傾動した状態に保持され、これによって上記規制部材２５が規制解除位置に仮止めされることになる。
【００２０】
上記支持ブラケット３５は、図６に示すように、縁枠２の壁面に取り付けられる取付板３０と、この取付板３０と平行に伸びる基板３１とを有する断面Ｕ字状に形成されている。上記支持ブラケット３５の基板３１には、水平方向に伸びる横溝３２と、この横溝３２の前端部から下方側に伸びる縦溝３３とが形成されている。
【００２１】
そして、上記横溝３２の後端部３２ａからなる上段係止部または上記縦溝３３の下端部３３ａからなる下段係止部に、引張りばね１５の上端部をフック部材３４によって選択的に係止することにより、上記引張りばね１５の付勢力が調節されるように構成されている。例えば、上記縦溝３３の下端部３２ａからなる下段係止部に係止されたフック部材３４を、上記横溝３２及び縦溝３３からなる案内溝に沿ってスライド変位させて上記横溝３２の後端部３２ａからなる上段係止部に係止することにより、上記引張りばね１５の付勢力を増強することができる。
【００２２】
以上のような構成において、天井１の開口部に取り付けられた縁枠２と、床面８との間隔に応じ、はしご本体４の設置高さを調節する場合には、図３の仮想線及び図５に示すように、上記規制部材２５を上方の規制解除位置に仮止めした状態で、上部リンク１１に突設された枢支ピン２４からなる吊下リンク９の上端枢支部を上記縦溝２２に沿ってスライド変位させ、上記横溝１８〜２１に係止される枢支ピン２４の位置を変更して吊下リンク９の上端枢支位置を移動させる。この結果、上記吊下リンク９によって展開状態に支持されたはしご本体４の設置角度が変化し、このはしご本体４の設置高さが調節されることになる。
【００２３】
すなわち、図７の実線で示すように、上記枢支ピン２４を最上段の横溝１８に係止した状態から、同仮想線で示すように、最下段の横溝２１に枢支ピン２４の係止位置を変化させた場合には、上記吊下リンク９によって展開状態に支持されたはしご本体４の設置角度αが急角度になるため、これに応じてはしご本体４の設置高さが増大されることになる。
【００２４】
なお、上記横溝１８〜２１の位置、個数及び設置方向は上記実施形態に限定されることなく、種々の変更が可能であるが、上記実施形態に示すように、最上段の横溝１８に比べ、下段の横溝１９〜２１を順次後方側に位置させるように配設した場合には、上記吊下リンク９の枢支位置を下方に変化させるのに応じ、上記ストッパ２３に当接することにより拘束される吊下リンク９の張出し角度βを大きくすることができる。このように上記吊下リンク９の枢支位置を下方に変化させるのに応じ、上記はしご本体４の設置角度α及び吊下リンク９の張出し角度βの両方が大きくなるように構成することにより、上記枢支位置の如何に拘らず、吊下リンク９の伸長時における上部リンク１１と下部リンク１２との連結角度γが略一定に維持されることになる。
【００２５】
上記のように、本発明に係る天井用はしご装置によれば、天井１の開口部に取り付けられた縁枠２に吊下リンク９の上端部を枢支する吊下ブラケット１３を設け、この吊下ブラケット１３に、複数個の横溝１８〜２１と、各横溝１８〜２１を連結する縦溝２２とを形成し、上記横溝１８〜２１の一つに吊下リンク９の上端枢支部を選択的に係止するように構成したため、この縦溝２２に沿って上記吊下リンク９の上端枢支部（枢支ピン２４）をスライド変位させ、上記横溝１８〜２１の一つを選択して吊下リンク９の上端枢支部を導入させた後、この枢支部を上記横溝１８〜２１の一つに係止することにより、この吊下リンク９の上端枢支位置を移動させることができる。
【００２６】
したがって、上記縁枠２と床面８との間隔に対応させて吊下リンク９の上端枢支位置を移動させることにより、はしご本体４の使用時に、上記縁枠２と床面８との間にはしご本体４が適正状態で架け渡されるように、このはしご本体４の設置高さを調節する作業を容易に実行することができる。しかも、上記はしご本体４の左右に設けられた一対の吊下リンク９の上端枢支位置を変化させる作業を、左右同時に実行することができるため、上記はしご本体４の設置高さを容易かつ正確に調節することができる。
【００２７】
特に、吊下ブラケット１３の横溝１８〜２１内に導入された吊下リンク９の上端枢支部が横溝１８〜２１外に導出されるのを規制することによって上記上端枢支部を回動可能に係止する規制部材２５を設け、この規制部材２５をビス２６により縁枠２の壁面に着脱可能に固着する等により、上記枢支部の規制位置と、規制解除位置とに変位可能に構成したため、上記規制部材２５を規制解除位置にセットした状態で、吊下リンク９の上端枢支部を縦溝２２に沿ってスライド変位させることにより、複数個の横溝１８〜２１の一つを選択して上記上端枢支部を導入させることができる。その後、上記規制部材２５を規制位置にセットして固定することにより、吊下リンク９の上端枢支部を上記横溝１８〜２１の一つに係止することができるため、上記はしご本体４を吊下リンク９によって安定して支持することができる。
【００２８】
また、上記吊下ブラケット１３の横溝１８〜２１を覆う規制位置と、横溝１８〜２１を開放する規制解除位置とに変位可能に上記規制部材２５を構成するとともに、この規制部材２５に形成されたＶ形の切欠２９からなる仮止め部によって上記規制部材２５を上方の規制解除位置に仮止めするように構成したため、この規制解除位置に規制部材２５を規制解除位置に仮止めした状態で、上記縦溝２２に沿って吊下リンク９の上端枢支部をスライド変位させることにより、複数個の横溝１８〜２１の一つを選択して吊下リンクの上端枢支部を導入させる作業等を容易に行うことができるという利点がある。
【００２９】
なお、上記実施形態に代え、図８及び図９に示すように、吊下ブラケット１３の基板１７と縁枠２との間に規制部材２５を昇降可能に設置するとともに、上記基板１７に螺着された取付ボルト２６を螺着し、この取付ボルト２６の先端部を規制部材２５の壁面に圧接させることにより、規制部材２５を上方の規制解除位置に仮止めするように構成してもよい。このように構成した場合には、上記取付ボルト２６からなる仮止め部によって規制部材２５を上記仮止め位置に安定して係止することができる。
【００３０】
また、上記のようにはしご本体４を上方に付勢する引張りばね１５の上端部を支持する上記支持ブラケット３５からなる支持部に、水平方向に伸びる横溝３２と、この横溝３２の前端部から下方側に伸びる縦溝３３とを形成することにより、上記横溝３２の後端部３２ａからなる上段係止部または上記縦溝３３の下端部３３ａからなる下段係止部に、引張りばね１５の上端部を選択的に係止するように構成した場合には、この引張りばね１５から上記天蓋３及びはしご本体４に付与される付勢力を容易に調節することができる。
【００３１】
すなわち、上記支持ブラケット３５を縁枠２から取り外す等の繁雑な作業を要することなく、引張りばね１５の上端部を係止するフック部材３４を、支持ブラケット３５に設けられた上記横溝３２及び縦溝３３からなる案内溝に沿ってスライド変位させることにより、上記引張りばね１５の上端部の係止位置を容易に変化させることができるため、これによって上記引張りばね１５の付勢力を容易に調節することができる。
【００３２】
なお、上記吊下ブラケット１３と略同様に構成された上下複数段の横溝からなる係止部と、各係止部を連結する縦溝からなる案内溝を上記支持ブラケット３５に設け、上記縦溝に沿って引張りばね１５の上端部をスライド変位させることにより、上記縦溝の一つに引張りばね１５の上端部を選択的に係止するように構成してもよい。また、上記引張りばね１５の下端部を支持する吊下リンク９の下部リング１２に、上下複数個の係止部と、各係止部を連結する案内溝とを形成した構造としてもよい。
【図面の簡単な説明】
【００３３】
【図１】本発明に係る天井用はしご装置の実施形態を示す説明図である。
【図２】はしご本体の格納状態を示す説明図である。
【図３】吊下ブラケットの具体的構成を示す正面図である。
【図４】図３のＡ−Ａ線断面図である。
【図５】規制部材を規制解除位置に仮止めした状態を示す側面断面図である。
【図６】支持ブラケットの具体的構成を示す斜視図である。
【図７】はしご本体の展開状態を示す説明図である。
【図８】吊下ブラケットの変形例を示す正面図である。
【図９】上記吊下ブラケットの縦断面図である。
【符号の説明】
【００３４】
１  天井
２  縁枠
４  はしご本体
８  床面
９  吊下リンク
１３  吊下ブラケット
１８〜２１  横溝
２２  縦溝
２３  ストッパ
２４  枢支ピン（上端枢支部）
２５  規制部材
２９  切欠（仮止め部）
３２  横溝（案内溝）
３３  傾斜溝（案内溝）
３２ａ  横溝の後端部（係止部）
３３ａ  傾斜溝の下端部（係止部）
３５  支持ブラケット
【図１】
0004499122.tif 000002
【図２】
0004499122.tif 000003
【図３】
0004499122.tif 000004
【図４】
0004499122.tif 000005
【図５】
0004499122.tif 000006
【図６】
0004499122.tif 000007
【図７】
0004499122.tif 000008
【図８】
0004499122.tif 000009
【図９】
0004499122.tif 000010